(57)【要約】【課題】  厳粛な弔事に相応しい高い格調を表現できるプラス面を維持できるものでありながら、そこはかとなく鮮やかな雰囲気を漂わせることで、マイナス面を払拭することにより、雰囲気の過剰な低下を抑制することができる黒紋付を提供する。【解決手段】  黒紋付本体１の素材は、地紋２をあしらった白生地３が黒染めされることによって構成されている。すなわち、白生地３に、たとえば、市松模様などの地紋２をあしらった紋意匠柄を織り上げたのち、黒色に染め上げる手法を経ることによって製造されるものである。前記構成の黒紋付本体１では、黒染めされることによって確保された黒色が醸し出す独自の彩色により、厳粛な弔事に相応しい高い格調を全体として表現することができるとともに、地紋２が醸し出す視覚効果によって、そこはかとなく鮮やかな雰囲気を漂わせて、弔事の雰囲気の過剰な低下を抑制することができる。【選択図】        図１
0003115917.tif 000002
【実用新案登録請求の範囲】
【請求項１】
地紋が織成された白生地を黒染めすると共に、この黒染めした布地を縫成して黒紋付本体を構成したことを特徴とする黒紋付。
【請求項２】
請求項１に記載の黒紋付において、
地紋が織成された白生地を黒染めするに際して、家紋を入れるために家紋を表出する位置部分を白く抜いて黒紋付本体を構成したことを特徴とする黒紋付。
【請求項３】
請求項１または請求項２のいずれかに記載の黒紋付において、
家紋を入れるために家紋を表出する位置部分に、家紋やその他の模様・図柄を描図されたシール材を取付けたことを特徴とする黒紋付。
【請求項４】
請求項２記載の黒紋付において、
白抜きされた家紋を表出する位置部分に、家紋やその他の模様・図柄を描図成いは刺繍で表出したことを特徴とする黒紋付。
【請求項５】
白生地を黒染めすると共に、この黒染めした布地を縫成して構成した黒紋付において、黒紋付の裾部に黒色または同色系の刺繍糸による刺繍を施して黒紋付本体を構成したことを特徴とする黒紋付。
【請求項６】
請求項５に記載の黒紋付において、
白生地を黒染めするに際して、家紋を入れるために家紋を表出する位置部分を白く抜いて黒紋付本体を構成したことを特徴とする黒紋付。
【考案の詳細な説明】
【技術分野】
【０００１】  本考案は、告別式や通夜などの弔事に際して着用される黒紋付（喪服）に関するものである。
【背景技術】
【０００２】  従来、告別式や通夜などの弔事に際して着用される黒紋付は、黒染めされた白生地を素材として縫成されたもので、模様も色彩もない黒一色に染められた黒無地の着物に白抜きによって一つ紋、三つ紋、五つ紋などの家紋をあしらったものであった。
【考案の開示】
【考案が解決しようとする課題】
【０００３】  前記従来の黒紋付では、黒色が醸し出す独自の彩色によって、厳粛な弔事に相応しい高い格調を表現できるプラス面を保有している反面、暗い雰囲気を漂わせるマイナス面をも併有している。このため、元来、暗い雰囲気で進行する弔事の雰囲気をさらに低下させる一因になりかねないといえる。【０００４】  本考案は、このような問題を解決するものであって、その目的とするところは、厳粛な弔事に相応しい高い格調を表現できるプラス面を維持できるものでありながら、そこはかとなく鮮やかな雰囲気を漂わせることで、マイナス面を払拭することにより、雰囲気の過剰な低下を抑制することができる黒紋付を提供することにある。
【課題を解決するための手段】
【０００５】  本考案に係る黒紋付は、地紋が織成された白生地を黒染めすると共に、この黒染めした布地を縫成して黒紋付本体を構成したことを特徴とするものである。【０００６】  このように、地紋が織成された白生地を黒染めし、この黒染めした布地を縫成して構成した黒紋付であることから、黒色生地の中に地紋が控えめに表出され、この地紋が醸し出す紋意匠柄により厳粛な弔事に相応しい高い格調を全体として表現することができる。
一方、控えめに表出される地紋が醸し出す紋意匠柄の視覚効果によって、そこはかとなく鮮やかな雰囲気を漂わせて、雰囲気の過剰な低下を抑制することができ、ファション性を取り入れた新しい感覚の喪服とするものである。【０００７】  本考案に係る黒紋付は、前記黒紋付において、地紋が織成された白生地を黒染めするに際して、家紋を入れるために家紋を表出する位置部分を白く抜いて黒紋付本体を構成したことを特徴とするものである。家紋を入れる位置は、家紋を入れる数、例えば、一つ紋、三つ紋、五つ紋などによってあらかじめ決まっており、その家紋を入れる位置部分を白抜きにするものである。
家紋を入れる位置部分を白抜きにすることによって、それぞれの家の家紋或いはその他の図柄を容易に入れることができる。【０００８】  また、本考案に係る黒紋付は、前記黒紋付において、家紋を入れるために家紋を表出する位置部分に、家紋やその他の模様・図柄を描図されたシール材を取付けたことを特徴とするものである。
家紋を表出する位置部分に、家紋やその他の模様・図柄を描図されたシール材を取付けた場合、例えば、家紋を描図されたシール材を取付けた場合は、紋無し黒紋付であっても、自分の家の家紋を表出させた黒紋付として着用することができる。また、家紋以外の鳥や花柄などを描図されたシール材を取付けた場合は、地味であるがおしゃれな感じの雰囲気を漂わせることができる。【０００９】  さらに、本考案に係る黒紋付は、白生地を黒染めすると共に、この黒染めした布地を縫成して構成した黒紋付において、黒紋付の裾部に刺繍を施して黒紋付本体を構成したことを特徴とするものである。これによると、白生地を黒染めし、この黒染めした布地を縫成して構成した黒紋付であることから、黒色生地の中に刺繍が控えめに表出され、この刺繍が醸し出す図柄により厳粛な弔事に相応しい高い格調を全体として表現することができる。
一方、控えめに表出される刺繍が醸し出す図柄の視覚効果によって、そこはかとなく鮮やかな雰囲気を漂わせて、雰囲気の過剰な低下を抑制することができ、ファション性を取り入れた新しい感覚の喪服とするものである。
また、本考案に係る黒紋付は、前記黒紋付において、家紋を表出する位置部分を白く抜いて黒紋付本体を構成したことを特徴とするものである。家紋を入れる位置は、家紋を入れる数、例えば、一つ紋、三つ紋、五つ紋などによってあらかじめ決まっており、その家紋を入れる位置部分を白抜きにするものである。
家紋を入れる位置部分を白抜きにすることによって、それぞれの家の家紋或いはその他の図柄を容易に入れることができる。
【考案の効果】
【００１０】  本考案によれば、地紋が織成された白生地を黒染めされていることで、黒色生地の中に地紋が控えめに表出され、この地紋が醸し出す紋意匠柄により厳粛な弔事に相応しい高い格調を全体として表現することができる。
また、本考案に係る黒紋付は、白生地を黒染めした黒紋付の裾部に刺繍を施して黒紋付本体を構成したものである。これによると、黒色生地の中に刺繍が控えめに表出され、この刺繍が醸し出す図柄により厳粛な弔事に相応しい高い格調を全体として表現することができる。
さらに、控えめに表出される地紋が醸し出す紋意匠柄、或いは刺繍柄の視覚効果によって、そこはかとなく鮮やかな雰囲気を漂わせて、雰囲気の過剰な低下を抑制することができ、ファション性を取り入れた新しい感覚の喪服とすることができる。
【考案を実施するための最良の形態】
【００１１】  図１は本考案に係る黒紋付の第１実施形態を示す正面図、図２は図１の背面図である。【００１２】  これらの図において、黒紋付本体１は、地紋２を織成した縮緬、繻子などの白生地を黒染めし、この黒染めされた布地を縫成することにより構成されるものである。前記地紋２の紋意匠柄は特段限定はされないが、控えめに表出される紋意匠柄が望ましい。しかし、たとえば、市松模様などの紋意匠柄であってもよい。
また、白生地を黒染めする手法は、別段限定はされず、従来から行われている黒染め手法、たとえば、京黒紋付染めや名古屋黒紋付染めなどの黒染め手法でもよい。【００１３】  このような布地を縫成することによって構成されている黒紋付本体１では、地紋２が織成された白生地を黒染めされていることで、黒色生地の中に地紋２が控えめに表出され、この地紋２が醸し出す紋意匠柄により厳粛な弔事に相応しい高い格調を全体として表現することができる。
また、控えめに表出される地紋２が醸し出す紋意匠柄の視覚効果によって、そこはかとなく鮮やかな雰囲気を漂わせて、雰囲気の過剰な低下を抑制することができ、ファション性を取り入れた新しい感覚の喪服とすることができる。【００１４】  一方、前記黒紋付本体１において、地紋２が織成された白生地を黒染めするに際して、家紋３を入れるために家紋３を表出する位置部分４を白く抜いて黒染めした黒紋付本体１でもよい。前記黒紋付本体１において白く抜く家紋を入れる位置は、家紋を入れる数、例えば、一つ紋、三つ紋、五つ紋などによってあらかじめ決まっており、その家紋を入れる位置部分を白抜きにするものである。そして、五つ紋が最も正式で、一つ紋が最も略式であり、つまり、家紋３の数が多くなればなるほど格調の高い黒紋付本体１であることを表現できる。
また、五つ紋における家紋３を表出する位置部分４は、背中心、両外袖、両胸の五カ所で、三つ紋は、背中心と両外袖の三カ所が家紋３を表出する位置部分４であり、一つ紋は、背中心の位置部分４にのみに家紋３を表出するものである。
この白抜きされた位置部分４に各家の家紋３を「染め抜きの紋」のように染め抜いて家紋３を表出したり、「繍い紋」のように刺繍によって家紋３を表出したりしてもよい。【００１５】  家紋３を入れるために家紋３を表出する位置部分４を白く抜いて黒染めした黒紋付本体１である場合、染め抜いて家紋３を表出した「染め抜きの紋」や刺繍によって家紋３を表出した「繍い紋」のように、家紋３を容易に表出することができる。
また、家紋以外に鳥や花柄６Ａなどを直接描き入れてもよいし、その家紋以外の鳥や花柄６Ａなどを刺繍によって表出させることもでき、かかる場合においては、地味であるが優雅で、おしゃれな感じの雰囲気を漂わせることができる。【００１６】  前記実施例においては、地紋２が織成された白生地を黒染めするに際して、家紋３を入れるために家紋３を表出する位置部分４を白く抜いて黒染めした黒紋付本体１としているが、地紋２が織成された白生地を全部黒染めにした黒紋付本体１としてもよい。
この黒紋付本体１の場合における家紋３を表出するには、家紋３を表出する位置部分４に家紋３が印刷されたシール材６を接着剤や粘着剤を介して取付けて行うこともできる。勿論このシール材６を縫着してもよい。
また、このシール材６を粘着シールやマグネットシールとして家紋３を表出する位置部分４に家紋３が印刷されたシール材６を貼り付け、黒染めされている黒紋付本体１の背中中心や両外袖、両胸などの所定位置に取付ける手法によって家紋３を表出する構成してもよい。家紋３を表出する位置部分４に家紋を描図されたシール材６を取付けた場合は、紋無しのものであっても、自分の家の家紋を表出させた黒紋付として着用することができるものである。
また、家紋以外に鳥や花柄６Ａなどを描図されたシール材６を取付けることもでき、かかる場合においては、地味であるが優雅で、おしゃれな感じの雰囲気を漂わせることができる。【００１７】  他方、図４に示す第２実施形態のように、白生地を黒染めした黒紋付本体１の裾部に、黒色または同色系の刺繍糸による刺繍５を施した構成とすることもできる。この刺繍５にはスワトウ刺繍も含まれる。
このような黒紋付本体１であれば、黒色生地の中に刺繍５が控えめに表出され、この刺繍が醸し出す図柄により厳粛な弔事に相応しい高い格調を全体として表現することができる。
一方、控えめに表出される刺繍５が醸し出す図柄の視覚効果によって、そこはかとなく鮮やかな雰囲気を漂わせて、雰囲気の過剰な低下を抑制することができ、ファション性を取り入れた新しい感覚の喪服とするものである。
また、前記第２実施形態の黒紋付において、家紋を表出する位置部分を白く抜いて黒紋付本体を構成してもよい。家紋を入れる位置は、家紋を入れる数、例えば、一つ紋、三つ紋、五つ紋などによってあらかじめ決まっており、その家紋を入れる位置部分を白抜きにするものである。
家紋を入れる位置部分を白抜きにすることによって、それぞれの家の家紋或いはその他の図柄を容易に入れることができる。
【図面の簡単な説明】
【００１８】
【図１】本考案の黒紋付に係る第１実施形態を示す正面図である。
【図２】図１の背面図である。
【図３】本考案の黒紋付に取り付けるシール材の正面図である。
【図４】本考案の黒紋付に係る第２実施形態を示す正面図である。
【符号の説明】
【００１９】１  黒紋付本体
２  地紋
３  家紋
４  家紋を表出する位置部分
５  刺繍
６  シール材
【図１】
0003115917.tif 000003
【図２】
0003115917.tif 000004
【図３】
0003115917.tif 000005
【図４】
0003115917.tif 000006
【手続補正書】
【提出日】平成17年4月28日(2005.4.28)
【手続補正１】
【補正対象書類名】実用新案登録請求の範囲
【補正対象項目名】全文
【補正方法】変更
【補正の内容】
【実用新案登録請求の範囲】
【請求項１】
地紋が織成された白生地を黒染めすると共に、この黒染めした布地を縫成して黒紋付本体を構成したことを特徴とする黒紋付。
【請求項２】
請求項１に記載の黒紋付において、地紋が織成された白生地を黒染めするに際して、家紋を入れるために家紋を表出する位置部分を白く抜いて黒紋付本体を構成したことを特徴とする黒紋付。
【請求項３】
請求項１または請求項２のいずれかに記載の黒紋付において、家紋を入れるために家紋を表出する位置部分に、家紋やその他の模様・図柄を描図されたシール材を取付けたことを特徴とする黒紋付。
【請求項４】
請求項２記載の黒紋付において、白抜きされた家紋を表出する位置部分に、家紋やその他の模様・図柄を描図或いは刺繍で表出したことを特徴とする黒紋付。
【手続補正２】
【補正対象書類名】明細書
【補正対象項目名】全文
【補正方法】変更
【補正の内容】
【考案の詳細な説明】
【技術分野】
【０００１】  本考案は、告別式や通夜などの弔事に際して着用される黒紋付（喪服）に関するものである。
【背景技術】
【０００２】  従来、告別式や通夜などの弔事に際して着用される黒紋付は、黒染めされた白生地を素材として縫成されたもので、模様も色彩もない黒一色に染められた黒無地の着物に白抜きによって一つ紋、三つ紋、五つ紋などの家紋をあしらったものであった。
【考案の開示】
【考案が解決しようとする課題】
【０００３】  前記従来の黒紋付では、黒色が醸し出す独自の彩色によって、厳粛な弔事に相応しい高い格調を表現できるプラス面を保有している反面、暗い雰囲気を漂わせるマイナス面をも併有している。このため、元来、暗い雰囲気で進行する弔事の雰囲気をさらに低下させる一因になりかねないといえる。【０００４】  本考案は、このような問題を解決するものであって、その目的とするところは、厳粛な弔事に相応しい高い格調を表現できるプラス面を維持できるものでありながら、そこはかとなく鮮やかな雰囲気を漂わせることで、マイナス面を払拭することにより、雰囲気の過剰な低下を抑制することができる黒紋付を提供することにある。
【課題を解決するための手段】
【０００５】  本考案に係る黒紋付は、地紋が織成された白生地を黒染めすると共に、この黒染めした布地を縫成して黒紋付本体を構成したことを特徴とするものである。【０００６】  このように、地紋が織成された白生地を黒染めし、この黒染めした布地を縫成して構成した黒紋付であることから、黒色生地の中に地紋が控えめに表出され、この地紋が醸し出す紋意匠柄により厳粛な弔事に相応しい高い格調を全体として表現することができる。  一方、控えめに表出される地紋が醸し出す紋意匠柄の視覚効果によって、そこはかとなく鮮やかな雰囲気を漂わせて、雰囲気の過剰な低下を抑制することができ、ファション性を取り入れた新しい感覚の喪服とするものである。【０００７】  本考案に係る黒紋付は、前記黒紋付において、地紋が織成された白生地を黒染めするに際して、家紋を入れるために家紋を表出する位置部分を白く抜いて黒紋付本体を構成したことを特徴とするものである。家紋を入れる位置は、家紋を入れる数、例えば、一つ紋、三つ紋、五つ紋などによってあらかじめ決まっており、その家紋を入れる位置部分を白抜きにするものである。  家紋を入れる位置部分を白抜きにすることによって、それぞれの家の家紋或いはその他の図柄を容易に入れることができる。【０００８】  また、本考案に係る黒紋付は、前記黒紋付において、家紋を入れるために家紋を表出する位置部分に、家紋やその他の模様・図柄を描図されたシール材を取付けたことを特徴とするものである。  家紋を表出する位置部分に、家紋やその他の模様・図柄を描図されたシール材を取付けた場合、例えば、家紋を描図されたシール材を取付けた場合は、紋無し黒紋付であっても、自分の家の家紋を表出させた黒紋付として着用することができる。また、家紋以外の鳥や花柄などを描図されたシール材を取付けた場合は、地味であるがおしゃれな感じの雰囲気を漂わせることができる。
【考案の効果】
【０００９】  本考案によれば、地紋が織成された白生地を黒染めされていることで、黒色生地の中に地紋が控えめに表出され、この地紋が醸し出す紋意匠柄により厳粛な弔事に相応しい高い格調を全体として表現することができる。  さらに、控えめに表出される地紋が醸し出す紋意匠柄の視覚効果によって、そこはかとなく鮮やかな雰囲気を漂わせて、雰囲気の過剰な低下を抑制することができ、ファション性を取り入れた新しい感覚の喪服とすることができる。
【考案を実施するための最良の形態】
【００１０】  図１は本考案に係る黒紋付の第１実施形態を示す正面図、図２は図１の背面図である。【００１１】  これらの図において、黒紋付本体１は、地紋２を織成した縮緬、繻子などの白生地を黒染めし、この黒染めされた布地を縫成することにより構成されるものである。前記地紋２の紋意匠柄は特段限定はされないが、控えめに表出される紋意匠柄が望ましい。しかし、たとえば、市松模様などの紋意匠柄であってもよい。  また、白生地を黒染めする手法は、別段限定はされず、従来から行われている黒染め手法、たとえば、京黒紋付染めや名古屋黒紋付染めなどの黒染め手法でもよい。【００１２】  このような布地を縫成することによって構成されている黒紋付本体１では、地紋２が織成された白生地を黒染めされていることで、黒色生地の中に地紋２が控えめに表出され、この地紋２が醸し出す紋意匠柄により厳粛な弔事に相応しい高い格調を全体として表現することができる。  また、控えめに表出される地紋２が醸し出す紋意匠柄の視覚効果によって、そこはかとなく鮮やかな雰囲気を漂わせて、雰囲気の過剰な低下を抑制することができ、ファション性を取り入れた新しい感覚の喪服とすることができる。【００１３】  一方、前記黒紋付本体１において、地紋２が織成された白生地を黒染めするに際して、家紋３を入れるために家紋３を表出する位置部分４を白く抜いて黒染めした黒紋付本体１でもよい。  前記黒紋付本体１において白く抜く家紋を入れる位置は、家紋を入れる数、例えば、一つ紋、三つ紋、五つ紋などによってあらかじめ決まっており、その家紋を入れる位置部分を白抜きにするものである。そして、五つ紋が最も正式で、一つ紋が最も略式であり、つまり、家紋３の数が多くなればなるほど格調の高い黒紋付本体１であることを表現できる。  また、五つ紋における家紋３を表出する位置部分４は、背中心、両外袖、両胸の五カ所で、三つ紋は、背中心と両外袖の三カ所が家紋３を表出する位置部分４であり、一つ紋は、背中心の位置部分４にのみに家紋３を表出するものである。  この白抜きされた位置部分４に各家の家紋３を「染め抜きの紋」のように染め抜いて家紋３を表出したり、「繍い紋」のように刺繍によって家紋３を表出したりしてもよい。【００１４】  家紋３を入れるために家紋３を表出する位置部分４を白く抜いて黒染めした黒紋付本体１である場合、染め抜いて家紋３を表出した「染め抜きの紋」や刺繍によって家紋３を表出した「繍い紋」のように、家紋３を容易に表出することができる。  また、家紋以外に鳥や花柄６Ａなどを直接描き入れてもよいし、その家紋以外の鳥や花柄６Ａなどを刺繍によって表出させることもでき、かかる場合においては、地味であるが優雅で、おしゃれな感じの雰囲気を漂わせることができる。【００１５】  前記実施例においては、地紋２が織成された白生地を黒染めするに際して、家紋３を入れるために家紋３を表出する位置部分４を白く抜いて黒染めした黒紋付本体１としているが、地紋２が織成された白生地を全部黒染めにした黒紋付本体１としてもよい。  この黒紋付本体１の場合における家紋３を表出するには、家紋３を表出する位置部分４に家紋３が印刷されたシール材６を接着剤や粘着剤を介して取付けて行うこ���もできる。勿論このシール材６を縫着してもよい。  また、このシール材６を粘着シールやマグネットシールとして家紋３を表出する位置部分４に家紋３が印刷されたシール材６を貼り付け、黒染めされている黒紋付本体１の背中中心や両外袖、両胸などの所定位置に取付ける手法によって家紋３を表出する構成してもよい。家紋３を表出する位置部分４に家紋を描図されたシール材６を取付けた場合は、紋無しのものであっても、自分の家の家紋を表出させた黒紋付として着用することができるものである。  また、家紋以外に鳥や花柄６Ａなどを描図されたシール材６を取付けることもでき、かかる場合においては、地味であるが優雅で、おしゃれな感じの雰囲気を漂わせることができる。
【図面の簡単な説明】
【００１６】
【図１】本考案の黒紋付に係る第１実施形態を示す正面図である。
【図２】図１の背面図である。
【図３】本考案の黒紋付に取り付けるシール材の正面図である。
【符号の説明】
【００１７】  １  黒紋付本体  ２  地紋  ３  家紋  ４  家紋を表出する位置部分  ６  シール材
【手続補正３】
【補正対象書類名】図面
【補正対象項目名】図４
【補正方法】削除
【補正の内容】